(57)【特許請求の範囲】
【請求項１】
帯状の金属製薄板を同じ径で螺旋状に巻き、内面が略面一になるよう、前側に位置する前記薄板の側縁が断面略コ字状に折り曲げられ、後側に位置する薄板の側縁が断面略逆コ字状に折り曲げられ、前側側縁の先端が後側側縁の折り曲げにより形成された凹部に差込まれ、かつ後側側縁の先端が前側側縁の折り曲げにより形成された凹部に差込まれた状態になるように側縁同士がはぜ組みされた螺旋状ダクトであって、
前記はぜ組み部分の、いずれか一方の側縁の先端を挟むように帯状のゴム状弾性体よりなるパッキンを断面略Ｕ字状に折り曲げて充填されてなり、前側側縁と後側側縁との隙間をシールしたことを特徴とする螺旋状ダクトのはぜ組み部のシール構造。
【請求項２】
帯状の金属製薄板を同じ径で螺旋状に巻き、内面が略面一になるよう、前側に位置する前記薄板の側縁が断面略コ字状に折り曲げられ、後側に位置する薄板の側縁が断面略逆コ字状に折り曲げられ、前側側縁の先端が後側側縁の折り曲げにより形成された凹部に差込まれ、かつ後側側縁の先端が前側側縁の折り曲げにより形成された凹部に差込まれた状態になるように側縁同士がはぜ組みされた螺旋状ダクトであって、
前記はぜ組み部分の、いずれか一方の側縁の先端と、他方の側縁の凹部との隙間に線状のゴム状弾性体よりなるパッキンが充填されてなるとともに、他方の側縁の先端を挟むように帯状のゴム状弾性体よりなるパッキンを断面略Ｕ字状に折り曲げて充填されてなり、前側側縁と後側側縁との隙間をシールしたことを特徴とする螺旋状ダクトのはぜ組み部のシール構造。
【発明の詳細な説明】
【０００１】
【発明の属する技術分野】
本発明は、帯状の金属製薄板を同じ径で螺旋状に巻き、内面が略面一になるよう、前側に位置する薄板の側縁と、後側に位置する薄板の側縁とをはぜ組みすることによって形成した螺旋状ダクトのはぜ組み部のシール構造に関するものである。
【０００２】
【従来の技術】
従来から、図８乃至図１０に示すように、帯状の金属製薄板１０を螺旋状に巻き、内面が略面一になるよう、前側に位置する薄板１０の側縁Ｉ１と、後側に位置する薄板１０の側縁Ｉ２とをはぜ組みすることによって形成した螺旋状ダクト３０が用いられている。
【０００３】
このようなはぜ組み部分２０は、図１１に示すように側縁Ｉ２を断面Ｕ字状に折り曲げることによって内側凹部Ｕ２を形成し、その凹部Ｕ２に断面Ｌ字状に折り曲げられた側縁Ｉ１の先端を差込み、成形ローラーを利用して押圧することで、図１０に示すように凹部Ｕ１を形成するように、側縁Ｉ１の先端を包むように折り倒すことによって形成される。
【０００４】
なお、金属製薄板１０を螺旋状に形成することと側縁部分のはぜ組み形成とは、同時進行で行われる。
【０００５】
【発明が解決しようとする課題】
しかしながら、このような螺旋状ダクト３０は、内外の圧力差が極めて少ない場合や僅かなガスや液漏れがあっても差し支えない場合には特に問題とはならないが、薄板を重ね合わせ、折り曲げただけであるため、はぜ組み部分２０はシール性に欠ける。
よって、空調や集塵用のダクトとして屋外に敷設した場合、はぜ組み部分２０の隙間から雨水が管内に浸み込んで来たり、また、屋内においても厨房等の排気ダクトに用いた場合、油や水のミストを含む空気がはぜ組み部分２０の隙間から漏れ出たり等するという問題点がある。
また、ダクトの内部を水や薬品などの液体で洗浄する場合、それら洗浄液が漏れ出すという問題がある。
【０００６】
そこで本発明の目的とするところは、構造が簡単で、特にはぜ組み部分のシール性に優れた螺旋状ダクトのはぜ組み部のシール構造を提供することにある。
【０００７】
【課題を解決するための手段】
上記の目的を達成するために、本発明の螺旋状ダクトのはぜ組み部のシール構造は、帯状の金属製薄板（１０）を同じ径で螺旋状に巻き、内面が略面一になるよう、前側に位置する薄板（１０）の側縁が断面略コ字状に折り曲げられ、後側に位置する薄板（１０）の側縁が断面略逆コ字状に折り曲げられ、前側側縁（１０）の先端（Ｉ１）が後側側縁の折り曲げにより形成された凹部（Ｕ２）に差込まれ、かつ後側側縁の先端（Ｉ２）が前側側縁の折り曲げにより形成された凹部（Ｕ１）に差込まれた状態になるように側縁同士がはぜ組みされた螺旋状ダクトであって、前記はぜ組み部分（２０）の、いずれか一方の側縁の先端（Ｉ１）を挟むように帯状のゴム状弾性体よりなるパッキン（４３）を断面略Ｕ字状に折り曲げて充填されてなり、前側側縁と後側側縁との隙間をシールしたことを特徴とする。
【０００８】
また、本発明の螺旋状ダクトのはぜ組み部のシール構造は、帯状の金属製薄板（１０）を同じ径で螺旋状に巻き、内面が略面一になるよう、前側に位置する薄板（１０）の側縁が断面略コ字状に折り曲げられ、後側に位置する薄板（１０）の側縁が断面略逆コ字状に折り曲げられ、前側側縁（１０）の先端（Ｉ１）が後側側縁の折り曲げにより形成された凹部（Ｕ２）に差込まれ、かつ後側側縁の先端（Ｉ２）が前側側縁の折り曲げにより形成された凹部（Ｕ１）に差込まれた状態になるように側縁同士がはぜ組みされた螺旋状ダクトであって、
前記はぜ組み部分（２０）の、いずれか一方の側縁の先端（Ｉ２）と、他方の側縁の凹部（Ｕ１）との隙間に線状のゴム状弾性体よりなるパッキン（４１）が充填されてなるとともに、他方の側縁の先端（Ｉ１）を挟むように帯状のゴム状弾性体よりなるパッキン（４３）を断面略Ｕ字状に折り曲げて充填されてなり、前側側縁と後側側縁との隙間をシールしたことを特徴とする。
【００１０】
なお、上記の括弧内の記号は図面及び後述する発明の実施の形態に記載された記号に対応するものである。
【００１１】
本発明によれば、はぜ組み部分に、ゴム状弾性体よりなるパッキンを充填したため、シール性が著しく向上し、屋外に設置しても、はぜ組み部分から雨水が浸透することがなく、また屋内の厨房用排気管として使用しても、油や水のミストが漏れ出すことはない。
また、ダクトの内部を水や薬品などの液体で洗浄する場合でも、それら洗浄液が漏れ出すことはない。
【００１２】
特にパッキンを、はぜ組み部分の、いずれか一方の側縁の先端を挟むように断面略Ｕ字状に折り曲げて充填したものは、侵入しようとする水等の流体がパッキンに沿って通過する距離が長くなるのでシール性が向上する。
【００１４】
【発明の実施の形態】
本発明の第１の実施の形態例について図面を参照して説明すると、図１は断面図、図２はその要部を示す拡大断面図である。
【００１５】
この螺旋状ダクトは、帯状の金属製薄板１０を同じ径で螺旋状に巻き、内面が面一または略面一になるよう、はぜ組みを行うことによって製作したものである。より具体的には、前側に位置する薄板１０の側縁が断面略コ字状に折り曲げられ、後側に位置する薄板１０の側縁が断面略逆コ字状に折り曲げられ、前側側縁の先端Ｉ１が後側側縁の折り曲げにより形成された凹部Ｕ２に差込まれ、かつ後側側縁の先端Ｉ２が前側側縁の折り曲げにより形成された凹部Ｕ１に差込まれた状態になるように側縁同士がはぜ組みされたものである。
【００１６】
その製作方法は大略次の通りである。すなわち、
側縁Ｉ２を断面Ｕ字状に折り曲げることによって内側凹部Ｕ２を形成し、その凹部Ｕ２に断面Ｌ字状に折り曲げられた側縁Ｉ１の先端を差込み、成形ローラーを利用して押圧することで、側縁Ｉ１の先端を包むように折り倒すことによって凹部Ｕ１を形成するものである。
以上の操作を連続的に並行して行うことによって、螺旋状のはぜ組み部分２０が形成される。
【００１７】
しかも、その際、はぜ組み部分２０の内部には、それに沿って、ゴム状弾性体よりなるところの、一方向に長い線状のパッキン４１を連続して充填する。充填場所は、はぜ組み部分２０を構成する、前側に位置する側縁の先端Ｉ１と、後側に位置する側縁の凹部Ｕ２との隙間にしてある。なお、図３に示すように、後側に位置する側縁の先端Ｉ２、前側に位置する側縁の凹部Ｕ１との隙間に充填するようにしてもよい。
パッキンの種類としてゴム状弾性体としては、ＮＢＲ，ＥＰＤＭ等が使用され、また、不燃性、耐熱性、耐薬品性、耐油性のものとしては、ガラス繊維製のものなどが使用される。しかし、充填の方法、パッキンの材質は、上記に限定されるものではない。
【００１８】
このような螺旋状ダクトのはぜ組み部のシール構造によると、線状のパッキン４１によって前側側縁と後側側縁との隙間がシールされるので、屋外に設置しても、はぜ組み部分２０から雨水が浸透することがなく、また屋内用厨房の排気管として使用しても、油や水のミストが漏れ出すことはない。
また、ダクトの内部を水や薬品などの液体で洗浄する場合でも、それら洗浄液が漏れ出すことはない。
【００１９】
また、パッキン４１の材質を、ゴム状の弾性があると同時にかつ、不燃性、耐熱性、耐薬品性、耐油性などがあるものにすることにより、ダクトの中に堆積した油などが燃焼したり、ダクトの中に液体状の薬品や油などが入ったりした場合でも、パッキン４１が損傷や劣化などを生じることがなく、シール性を保つことができる。
【００２０】
次に第２の実施の形態例について図４によって説明すると、上記と同様のゴム状弾性体よりなる帯状のパッキン４２を、はぜ組み部分２０の、前側に位置する側縁の先端Ｉ１の側面と、後側に位置する側縁の先端Ｉ２の側面との隙間に充填したものである。
このような螺旋状ダクトのはぜ組み部のシール構造は、第１の実施の形態例のものに比較して、はぜ組み部分２０の厚さが僅かに厚くなるが、水等の液体が帯状のパッキン４２に沿って通過する距離が長くなるため、抵抗が増し、一段とシール性が向上する。
【００２１】
第３の実施の形態例について図５によって説明すると、帯状のパッキン４３を、はぜ組み部分２０の前側に位置する側縁の先端Ｉ１を挟むように断面Ｕ字状に折り曲げて充填したものである。なお、後側に位置する側縁の先端Ｉ２を挟むように断面Ｕ字状に折り曲げて充填してもよい。
このような螺旋状ダクトのはぜ組み部のシール構造は、第２の実施の形態例のものより、はぜ組み部分２０の厚さが増すが、流体がパッキンに沿って通過する距離がさらに長くなると共に、流路の形状が複雑となり、抵抗が増すのでシール性が一層向上する。
【００２２】
なお第４の実施の形態例を示す図６のように、第１の実施の形態例で示した線状のパッキン４１と、第３の実施の形態例で示した帯状のパッキン４３とを併用するようにしてもよい。
帯状のパッキン４３を、はぜ組み部分２０の外側凹部Ｕ２の差込部Ｉ１を挟むように、断面Ｕ字状に折り曲げて充填すると共に、内側凹部Ｕ１と、差込部Ｉ２の先端面との隙間に線状パッキン４１を充填したものであって、二重にシールしてあり、第３の実施の形態例に比較してはぜ組み部分の厚さが増さずに、さらにシール性が向上する。
【００２３】
また第５の実施の形態例を示す図７のように、帯状のパッキン４４を、はぜ組み部分２０の前側に位置する側縁の先端Ｉ１の先端の端面と側面とに沿わせ、断面Ｌ字状に折り曲げて充填するようにしてもよい。
【００２４】
【発明の効果】
本発明によれば、はぜ組み部分に、ゴム状弾性体よりなるパッキンを充填したため、シール性が著しく向上し、屋外に設置しても、はぜ組み部分から雨水が浸透することがなく、また屋内の厨房用排気管として使用しても、油や水のミストが漏れ出すことはない。
また、ダクトの内部を水や薬品などの液体で洗浄する場合でも、それら洗浄液が漏れ出すことはない。
【００２５】
特にパッキンを、はぜ組み部分の、いずれか一方の側縁の先端を挟むように断面略Ｕ字状に折り曲げて充填したものは、侵入しようとする水等の流体がパッキンに沿って通過する距離が長くなるのでシール性が向上する。
【図面の簡単な説明】
【図１】本発明の第１の実施の形態例を示す断面図である。
【図２】図１の要部を示す拡大断面図である。
【図３】本発明の第１の実施の形態例の別の要部を示す拡大断面図である。
【図４】本発明の第２の実施の形態例の要部を示す拡大断面図である。
【図５】本発明の第３の実施の形態例の要部を示す拡大断面図である。
【図６】本発明の第４の実施の形態例の要部を示す拡大断面図である。
【図７】本発明の第５の実施の形態例の要部を示す拡大断面図である。
【図８】螺旋状ダクトを示す斜視図である。
【図９】螺旋状ダクトを示す側面図である。
【図１０】従来例の要部を示す拡大断面図である。
【図１１】はぜ組みの要領を示す断面図である。
【符号の説明】
１０  金属製薄板
２０  はぜ組み部分
３０  螺旋状ダクト
４１〜４４    パッキン
Ｕ１  凹部
Ｕ２  凹部
Ｉ１  先端
Ｉ２  先端
【図１】
0003717875.tif 000002
【図２】
0003717875.tif 000003
【図３】
0003717875.tif 000004
【図４】
0003717875.tif 000005
【図５】
0003717875.tif 000006
【図６】
0003717875.tif 000007
【図７】
0003717875.tif 000008
【図８】
0003717875.tif 000009
【図９】
0003717875.tif 000010
【図１０】
0003717875.tif 000011
【図１１】
0003717875.tif 000012